(57)【特許請求の範囲】
【請求項１】
２つのベッドを有し、各ベッドはベッド本体及びベッド本体の長手方向一端側に設けられるヘッドボードを備えたベッド装置において、
上記ヘッドボードは、上記ベッド本体に対して上下方向を逆にして取付け可能であるとともに、その上下方向一端部と他端部とのデザインは、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となることを特徴とするベッド装置。
【発明の詳細な説明】
【０００１】
【発明の属する技術分野】
この発明はベッド本体の長手方向一端側にヘッドボードが設けられるベッド装置に関する。
【０００２】
【従来の技術】
一般に、ベッド装置はベッド本体を有し、このベッド本体の長手方向一端側にはヘッドボードが設けられている。ヘッドボードはベッド装置の外観や性能上、重要な役割を持っており、そのデザインによって商品価値を大きく左右する。
【０００３】
一方、ベッド装置は、その幅寸法によってクイーンサイズ、ダブルサイズ、セミダブルサイズ、シングルサイズあるいはシングルサイズよりもさらに幅寸法の小さいＳサイズ等があり、種々の利用パターンに応じて適したサイズのベッド装置が選択される。
【０００４】
ところで、ベッド装置は長期間にわたって使用されるものであり、購入当初と年月を経た時点などでは利用者にとって最適なサイズが異なることがある。たとえば、新婚時にはダブルサイズのベッド装置が良いと考えて購入したものの、ダブルサイズのベッド装置では双方の寝返りなどによる睡眠妨害が気になるようなことがあり、また病気などの時も不便なことがある。
【０００５】
そこで、シングルサイズやＳサイズのベッドを２台購入し、これら２台のベッドを接合してクイーンサイズやダブルサイズの１台のベッドとして利用し、睡眠妨害が気になったり、病気などの時には２台のベッドを離して利用するということが考えられている。
【０００６】
【発明が解決しようとする課題】
２台のベッドを並設して利用する場合、２台のベッドの２つのヘッドボードはあたかも１つのヘッドボードとしての外観を呈するデザインであることが望ましく、また２台のベッドを分離して利用する場合には各ベッドのヘッドボードが独立したデザインとしての外観を呈することが望まれている。
【０００７】
しかしながら、従来のベッド装置においては、ヘッドボードは１つのベッド用にデザインされているだけであるため、２台のベッドを並設したときと分離したときとで、上記ヘッドボードがそれぞれの使用形態に応じて外観的に良好なデザインにならないということがあった。
【０００８】
この発明は、２つのベッドを並設したり、分離して使用する場合、いずれの使用形態であっても、ヘッドボードが外観的に良好なデザインを呈することができるようにしたベッド装置を提供することにある。
【００１０】
【課題を解決するための手段】
請求項１の発明は、２つのベッドを有し、各ベッドはベッド本体及びベッド本体の長手方向一端側に設けられるヘッドボードを備えたベッド装置において、
上記ヘッドボードは、上記ベッド本体に対して上下方向を逆にして取付け可能であるとともに、その上下方向一端部と他端部とのデザインは、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となることを特徴とするベッド装置にある。
【００１１】
このような構成とすることで、２つのベッドを並設して使用する場合と、分離して使用する場合とで各ベッドのヘッドボードの上下方向の向きを変えることで、それぞれの使用形態に応じて良好な外観を呈することが可能となる。
【００１２】
【発明の実施の形態】
以下、この発明の実施の形態を図面を参照して説明する。
【００１３】
図１乃至図６はこの発明の一実施の形態を示し、図１は２つのベッド１，２を並設して使用する状態を示す斜視図で、図２は分離して使用する状態を示す斜視図である。
【００１４】
上記各ベッド１，２は図６に示すようにベッド本体３を備えている。ベッド本体３は平行に離間対向して配置された一対の側板４を有し、これら側板４の長手方向一端は端板５によって連結されている。一対の側板４の長手方向他端の内面にはＬ字状の連結具６の一辺が取付固定されている。この連結具６の他辺には一対の連結片７が形成されている。各連結片７には、下方に向かって開放した一対の係合溝７ａが形成されている。
【００１５】
上記連結具６の他辺の外面には、スペーサ８を介してヘッドボード９の一側面の下端部の両側が接合され、内面には側面形状が三角形をなし下面に脚１１が取り付けられた取付具１２が接合されている。
【００１６】
なお、ベッド本体３の長手方向一端部の両側部にも脚１１が連結された取付具１２が設けられている。それによって、ベッド本体３はその四隅部が脚１１によって支持されている。
【００１７】
上記取付具１２からは上記係合溝７ａに係合するねじ１３が通され、このねじ１３の上記スペーサ８の外面から突出した端部は上記ヘッドボード９の一側面の下端部にねじ込まれている。つまり、ヘッドボード９は上記ねじ１３によってベッド本体３に着脱可能に連結固定されている。
【００１８】
上記ヘッドボード９は、図４（ａ），（ｂ）に示すように、一側面の上下方向一端部と、他側面の他端部との幅方向両側部にそれぞれ埋め込みナットによって一対の第１、第２のねじ孔１４ａ，１４ｂが形成されている。
【００１９】
したがって、上記ヘッドボード９は一側面をベッド本体３側に向けてその一側面の一上下方向端部の第１のねじ孔１４ａにねじ１３をねじ込んで固定した状態と、他側面をベッド本体３側に向けるとともにその他側面の上下方向他端部の第２のねじ孔１４ｂにねじ１３をねじ込んで固定した状態とで使用できるようになっている。
【００２０】
図１に示すように、一対のベッド１，２が並設された状態においては、各ベッド１，２のヘッドボード９は第１のねじ孔１４ａにねじ１３がねじ込まれてベッド本体３に取付固定されている。
【００２１】
なお、一対のベッド１，２は、図６に示すように互いの一側の接触した一対の側板４に嵌合するコ字状の第１の連結具１５ａ及び一対のヘッドボード９の背面側に位置する隣り合う第１あるいは第２のねじ孔１４ａ，１４ｂの一方を利用して図示しないねじで一対のヘッドボード９を連結する帯状の第２の連結具１５ｂによって分離不能に連結される。
【００２２】
また、ヘッドボード９は図５に示すように周辺部に枠部材９ａが設けられたフラッシュ構造となっていて、その枠部材９ａの個所に上記第１、第２のねじ孔１４ａ，１４ｂが形成される。
【００２３】
上記ヘッドボード９は上下方向の一端部と他端部とで異なるデザインに形成されている。つまり、図１に示すように一対のベッド１，２を並設させたときに上端部となる一端部はヘッドボード９の幅方向中央に対して左右が非対称となる第１の曲線形状１６ａに形成され、他端部は図３に示すように幅方向中央に対して左右対称となる円弧状に第２の曲線形状１６ｂに形成されている。
【００２４】
すなわち、上記第１の曲線形状１６ａは、２つのベッド１，２を並設させたときに２つのベッド１，２の互いの一側の接触部分を中心として左右対称の円弧形状となるようデザインされている。
【００２５】
図６に示すように、上記側板４の内面には受け桟１７が設けられ、一対の側板４の受け桟１７間には図示しない床板が架設される。この床板上には図１と図２に示すようにマットレス１８が載置される。
【００２６】
このような構成のベッド装置においては、図１に示すように２台のベッド１，２を、これらの互いの一側を接触させて並設して使用する場合には、各ベッドのヘッドボード９は第１の曲線形状１６ａを上側にしてベッド本体３に取付ける。
【００２７】
それによって、接合された２台のベッド１，２の２つのヘッドボード９は、これらの第１の曲線形状１６ａが幅方向中心に対して左右対称な１つの円弧状の曲線となる。そのため、２台のベッド１，２のヘッドボード９はあたかも１つのヘッドボードのような外観を呈することになるから、ベッド装置の外観形状を良好に維持することになる。
【００２８】
図２に示すように、２台のベッド１，２を分離し、たとえばこれらベッド１，２の間にナイトテーブル１９を設置するなどして使用する場合には、各ベッド１，２のヘッドボード９をベッド本体３から取り外し、第２のねじ孔１４ｂが設けられた他側面をベッド本体３側に向けるとともに上下を逆にすることで、上記第２のねじ孔１４ｂを上下方向下方に位置させる。そして、上記第２のねじ孔１４ｂにねじ１３をねじ込むことで各ベッド１，２のヘッドボード９を取付ける。
【００２９】
それによって、ヘッドボード９は各ベッド１，２の幅方向中心に対して左右対称形状の第２の曲線形状１６ｂが上側になる。そのため、各ヘッドボード９は、それぞれのベッド１，２専用のヘッドボードとしての外観を呈するから、その場合も各ベッド１，２の外観を損なうことなく利用することができる。
【００３０】
すなわち、ヘッドボード９の上下方向一端部を第１の曲線形状１６ａとし、他端部を第２の曲線形状１６ｂとしたことで、２台のベッド１，２を並設して使用する場合と、分離して使用する場合とで、それぞれの使用形態に適したデザインとすることが可能となる。
【００３１】
図７（ａ），（ｂ）はこの発明の他の実施の形態を示すヘッドボード９Ａの変形例である。この実施の形態のヘッドボード９Ａは、上下方向の一端部と他端部とはともにほぼ直線形状であるが、一方の側面の一端部２１Ａと、他方の側面の他端部２１Ｂとのデザインを変えるようにした。
【００３２】
このような構成のヘッドボード９Ａによれば、一方の側面の一端部２１Ａと他方の側面の他端部２１Ｂとのどちらをベッド本体側に向けて利用するかによって異なる外観を呈することができる。
【００３５】
【発明の効果】
請求項１の発明によれば、ヘッドボードをベッド本体に対して上下方向を逆にして取付け可能にするとともに、その上下方向一端部と他端部とのデザインは、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となるようにした。
【００３６】
そのため、２つのベッドを並設して使用するときと、分離して使用するときのいずれの場合であっても、ヘッドボードがベッドに適合したデザインを呈するため、外観的に良好となる。
【図面の簡単な説明】
【図１】  この発明の一実施の形態を示す一対のベッドを並設した使用形態の斜視図。
【図２】  同じく一対のベッドを分離した使用形態の斜視図。
【図３】  同じく一対のベッドを並設したときにベッドのヘッドボード側から見た側面図。
【図４】  （ａ）は同じくヘッドボードの一側面を示す側面図（ｂ）は同じく他側面を示す側面図。
【図５】  同じくヘッドボードの側面図。
【図６】  同じくベッド本体を示す一部省略した斜視図。
【図７】  （ａ）は個の発明のほかの実施の形態を示すヘッドボードの一側面を示す側面図、（ｂ）は同じく他側面を示す側面図。
【符号の説明】
１，２…ベッド
３…ベッド本体
９…ヘッドボード
１６ａ…第１の曲線形状
１６ｂ…第２の曲線形状
【図１】
0003682184.tif 000002
【図２】
0003682184.tif 000003
【図３】
0003682184.tif 000004
【図４】
0003682184.tif 000005
【図５】
0003682184.tif 000006
【図６】
0003682184.tif 000007
【図７】
0003682184.tif 000008